(57)【特許請求の範囲】
【請求項１】
下側が開放されたリフィル皿用保護容器であって、リフィル皿収納部は上側に突き出した大略直方形で形成され、当該リフィル皿収納部周囲の各コーナー部にリフィル皿を保持するための係止部が設けられ、それ以外の各辺部にはリフィル皿を保護容器に収納したときに保護容器のリフィル皿収納部内側面とリフィル皿との間に１ないし３ｍｍの隙間を与えるための空隙部が設けられるとともに、その対向する辺をジャバラ状とし、かつ、リフィル皿収納部の上部には、リフィル皿収納部内上面とリフィル皿との間で一定の間隔を与えるための空間部が設けられ、更に、前記係止部が、前記リフィル皿収納部の内側に突き出た突出部とそれを強化するための弧型部から構成されていることを特徴とするリフィル皿用保護容器。
【請求項２】
リフィル皿収納部の少なくとも一端に、指を入れることのできる凹部を設けたことを特徴とする請求項１記載のリフィル皿用保護容器。
【請求項３】
リフィル皿収納部の少なくとも一端に、切り欠き部を設けたことを特徴とする請求項１または２記載のリフィル皿用保護容器。
【発明の詳細な説明】
【０００１】
【発明の属する技術分野】
本発明はリフィル皿用保護容器に関し、更に詳細には、一枚のシートを成型することにより調製される、下側が開放されたリフィル皿用保護容器に関する。
【０００２】
【従来の技術】
近年、化粧品の分野では、ファンデーションやアイカラー、頬紅等を中心に、詰め替えが可能なリフィル容器による提供がなされるようになっている。このタイプの化粧料は使い切った後に、リフィル用化粧料を購入し、繰り返し詰め替え使用するというものである。
【０００３】
このリフィル用化粧料は、リフィル皿に充填され、通常簡易なプラスチック等の保持ケースに入れられ、保護された状態で販売されていることが普通である。そして、化粧料の充填されたリフィル皿を入れた保持ケースは、通常プラスチック材料で容器体保持部と蓋部とを成型し、これらが嵌合等することにより、リフィル皿を収納する仕組みとなっていることが多い（特開平１０−７５８１７号、特開平１１−２７６２４０号等）。
【０００４】
しかしながら、この保持ケースは、商品が生産者から需要者へわたる間だけ必要なものであり、一旦リフィル用化粧料が需要者の手に渡ってしまえばゴミとなるだけのものであるから、環境や資源保護の立場から見れば、この保持ケースに用いるプラスチック材料等の成形材料は少なければ少ないほど好ましい。
【０００５】
【発明が解決しようとする課題】
本発明は、上記実情に鑑みなされたものであり、最小限の成形材料を使用しながら、流通時においてリフィル皿およびそれに充填されたリフィル用化粧料を十分に保護できる容器の提供をその課題とするものである。
【０００６】
【課題を解決するための手段】
本発明者らは、化粧料の充填されたリフィル皿を確実に保持、固定する手段について鋭意検討を行った結果、１枚のシートから形成される下側が開放されたリフィル皿用保護容器であっても、リフィル皿収納部の周囲に係止部を設ける等その形状を工夫すれば、リフィル皿を確実に保持できることを見出した。
【０００７】
そして更に、リフィル皿収納部に指を入れることのできる凹部や切り欠き部を設けたり、あるいは収納部の対向する辺をジャバラ状とすることにより、取り出しも容易になることを見出し、本発明を完成した。
【０００８】
すなわち本発明は、下側が開放されたリフィル皿用保護容器であって、リフィル皿収納部は上側に突き出した形で形成され、当該リフィル皿収納部の周囲には、リフィル皿を保持するための少なくとも２ヶ所の係止部と、リフィル皿を保護容器に収納したときに保護容器のリフィル皿収納部内側面とリフィル皿との間に一定の隙間を与えるための空隙部が設けられ、かつ、リフィル皿収納部の上部には、リフィル皿収納部内上面とリフィル皿との間で一定の間隔を与えるための空間部が設けられていることを特徴とするリフィル皿用保護容器を提供するものである。
【０００９】
【発明の実施の形態】
次に、本発明のいくつかの実施態様を示す図面を挙げ、本発明を説明する。
【００１０】
図１は、本発明のリフィル皿用保護容器の一態様の斜視図、図２は底面図である。図中、１はリフィル用保護容器、２は係止部、３は空隙部、４は凹部、５は切り欠き部、６はリフィル皿収納部をそれぞれ示す。
【００１１】
本発明のリフィル皿用保護容器１は、図１で示すように、１枚のシートを成型することにより形成され、下側が開放された状態のもので、化粧料を充填したリフィル皿（図示せず）は、その端部が係止部２と嵌合し、リフィル皿収納部６に収納、保持されるものである。
【００１２】
従って、このリフィル皿用保護容器１を形成する材料としては、係止部２で嵌合保持するために、ある程度の弾性がある材料を使用することが好ましい。また、充填されたリフィル皿中の化粧料の色等を簡単に確認するためには、透明な材料を使用することが好ましい。このような条件を満たす材料としては、例えば、ポリエチレンテレフタレート、ポリスチレン、ポリプロピレン、ポリエチレン、ポリカーボネートやこれらの再生樹脂等のプラスチック材料等を挙げることができる。
【００１３】
このリフィル皿用保護容器１の係止部２は、例えば図４に示すように、内側に突き出た突出部２ａと、それを強化するための弧型部２ｂから構成される。この突出部２ａが、リフィル皿用保護容器１全体の弾性を利用してリフィル皿を保持し、弧型部２ｂは、この突出部２ａの強度を高める作用をする。この係止部２の数は、２個以上必要であり、一般には４個程度が必要である。またその位置は特に制約はないが、図１に示すように、コーナー部に設けることが好ましい。
【００１４】
また、本発明リフィル皿用保護容器１の空隙部３は、取り出し時にリフィル皿用保護容器１の変形の自由度を高め、リフィル皿を外しやすくするためのものであり、その隙間の間隔としては、例えば０.１から１０ｍｍ程度が好ましく、１から３ｍｍとすることがより好ましい。
【００１５】
更に、リフィル皿用保護容器１の凹部４および／または切り欠き部５は、いずれもここに指を入れ、リフィル皿を取り出しやすくするためのものであり、指が入る大きさであればよい。また、図１では、凹部４と切り欠き部５の双方が１つずつ設けられているが、いずれか一方であっても良く、またその数は１つでも複数であっても良い。
【００１６】
一方、本発明のリフィル皿用保護容器１は、突き出した形状のリフィル皿収納部６中に、リフィル皿の化粧料充填部側を収納、保護するのであるが、この充填面側とリフィル皿収納部６の上部平坦面の間に一定の間隔を有する空間を設けることが好ましい。この空間部６の間隔としては、０.１から１０ｍｍ程度が好ましく、１から８ｍｍとすることがより好ましい。
【００１７】
また、本発明のリフィル皿用保護容器１の別の態様としては、図５および図６に示すものが挙げられる。この態様のリフィル皿用保護容器では、リフィル皿収納部６周囲の対向する辺をジャバラ部７とし、この部分の弾性を高め、リフィル皿を更に取り出しやすくしたものである。このジャバラ部７は、高さ０.５ないし２ｍｍ程度の半円柱型のものであり、１ｃｍあたり、２から５程度で設ければよい。
【００１８】
以上説明したリフィル皿用保護容器１は、上記のように化粧料を充填したリフィル皿（図示せず）の端部が係止部２と嵌合し、基本的にこの部分でリフィル皿を保持するものである。従って、それ以外の部分は、実質的にリフィル皿と接触していない構造としても良いし、また、リフィル皿の開口上部端面の一部または全部がリフィル皿保護容器１の側面に接していても良い。これらの構造により、リフィル皿収納部上面とリフィル皿との間で一定の間隔が保てる空間部が形成され、リフィル皿に対する垂直方向の耐衝撃性が得られるのである。
【００１９】
そして、リフィル皿収納部６中に保持されたリフィル皿は、空隙部３に爪を入れて引き出すことにより、あるいは、凹部４ないしは切り欠き部５に指を入れて引き出すことにより、係止部２から外すことができ、簡単に取り出すことができる。
【００２０】
以上説明した本発明のリフィル皿用保護容器の好ましい態様の例としては、リフィル皿収納部６が大略直方体であり、リフィル皿収納部６周囲の各コーナー部に係止部２を設け、それ以外の各辺部には、リフィル皿を保護容器に収納したときに一定の隙間を与えるための空間部３が設けられたものを挙げることができる。
【００２１】
【作用】
本発明のリフィル皿用保護容器１は、シートをプレス成形し、リフィル容器の充填部を保護するリフィル皿収納部６と、その周囲に保持手段として、係止部２を設けたに過ぎないものである。しかしながら、係止部２の作用により、リフィル皿およびリフィル皿に充填された化粧料を流通段階において十分に保護することができるものである。また、凹部４や切れ込み部５、あるいはジャバラ部７等を設けることにより、取り出しも簡単にできるものである。
【００２２】
【発明の効果】
本発明のリフィル皿用保護容器は、従来の同種のもののように蓋部と収納部に分かれておらず、極めて簡単な構成のものでありながら、十分にリフィル皿およびリフィル用化粧料を保護する目的を達成できるものである。
【００２３】
そして、構造が簡単であるため、使用する成型材料は半分で済み、しかも、製造は極めて簡単なものである。
【００２４】
従って、化粧品の簡易包装に貢献することのできるものであり、ひいては資源保護の立場からも価値の高いものである。
【図面の簡単な説明】
【図１】  本発明のリフィル皿用保護容器の一実施態様を示す斜視図
【図２】  本発明のリフィル皿用保護容器の一実施態様を示す底面図
【図３】  図１の保護容器にリフィル皿を装着した状態のＸ−Ｘ'横断面図
【図４】  係止部の構成を示す斜視図
【図５】  本発明のリフィル皿用保護容器の別の実施態様を示す斜視図
【図６】  本発明のリフィル皿用保護容器の別の実施態様を示す底面図
【符号の説明】
１ … … リフィル皿用保護容器        Ａ … … 空隙部
２ … … 係止部                      Ｂ … … 空間部
３ … … リフィル皿収納部側面
４ … … 凹部
５ … … 切り欠き部
６ … … リフィル皿収納部
７ … … ジャバラ部
８ … … リフィル皿収納部上面
９ … … リフィル皿
１０ … … 化粧料
以    上
【図１】
0004510356.tif 000002
【図２】
0004510356.tif 000003
【図３】
0004510356.tif 000004
【図４】
0004510356.tif 000005
【図５】
0004510356.tif 000006
【図６】
0004510356.tif 000007